(57)【特許請求の範囲】
【請求項１】
光学素子を保持する第１枠と、
前記第１枠を保持する第２枠と、
前記第１枠の外周の複数箇所に備えられる弾性変形可能な複数のピンと、
前記第２枠の複数箇所に備えられ、複数の前記ピンが嵌合される複数の穴と、
を備えた鏡筒であって、
複数の前記ピンは、少なくとも１つの第１ピンと、少なくとも１つの第２ピンと、で構成され、
前記第１ピンは、前記第１枠に対して径方向外方に向かって外径が縮小するテーパー形状を有し、前記穴に嵌合されることにより、外周面が前記穴の底面の縁に押圧当接されて、前記穴の底面の縁から径方向の力及び軸方向の力を受け、前記第２枠に対して前記第１枠を径方向の内方に付勢し、
前記第２ピンは、前記穴に嵌合されることにより、外周面が前記穴の内壁面に押圧当接されて、前記穴の内壁面から径方向の力のみを受け、
前記第２枠の中心に対して、前記第１枠をシフトさせる側に前記第２ピンを配置し、反対側に前記第１ピンを配置して、前記穴への前記第１ピンの嵌合量を調整することにより、前記第２枠に対する前記第１枠の位置の調整が可能な鏡筒。
【請求項２】
前記第１ピンは、前記第１枠に対して径方向外方に向かって外径が縮小する円弧状のテーパー形状を有する、
請求項１に記載の鏡筒。
【請求項３】
前記第２ピンは、外周面が外側に向かって円弧状に膨らんだ形状を有する、
請求項１又は２に記載の鏡筒。
【請求項４】
前記第１ピンは、
第１ピン軸部と、
前記第１ピン軸部との間に隙間をもって同心状に配置された環状又は筒状の第１ピン外周部と、
前記第１ピン軸部に対して前記第１ピン外周部を支持する第１ピン支持部と、
を備える請求項１から３のいずれか１項に記載の鏡筒。
【請求項５】
前記第１ピンが、樹脂による一体成形品であり、同軸上に挿通される締結部材によって前記第１枠に固定される、
請求項４に記載の鏡筒。
【請求項６】
前記第２ピンは、
第２ピン軸部と、
前記第２ピン軸部との間に隙間をもって同心状に配置された環状又は筒状の第２ピン外周部と、
前記第２ピン軸部に対して前記第２ピン外周部を支持する第２ピン支持部と、
を備える請求項１から５のいずれか１項に記載の鏡筒。
【請求項７】
前記第２ピンが、樹脂による一体成形品であり、同軸上に挿通される締結部材によって前記第１枠に固定される、
請求項６に記載の鏡筒。
【請求項８】
前記第１ピンが嵌合される前記穴の底面は、面取りされた縁を有する、
請求項１から７のいずれか１項に記載の鏡筒。
【請求項１０】
複数の前記ピンが、前記第１枠の外周に一定の間隔で備えられる、
請求項１から８のいずれか１項に記載の鏡筒。
【請求項１１】
３本の前記ピンが、前記第１枠の外周に一定の間隔で備えられる、
請求項１０に記載の鏡筒。
【請求項１２】
前記穴が、光軸と直交する方向に延びる長穴で構成される、
請求項１から８、１０及び１１のいずれか１項に記載の鏡筒。
【発明の詳細な説明】
【技術分野】
【０００１】
本発明は、鏡筒に係り、特に光学素子の位置を調整する機能を備えた鏡筒に関する。
【背景技術】
【０００２】
一般にカメラなどに使用されるレンズ鏡筒には、組み付け後に偏心調整等ができるように、レンズの位置を調整する機構（レンズ位置調整機構）が備えられる。このレンズ位置調整機構は、調整対象とするレンズを光軸と直交面内で移動可能に保持する保持部と、その保持部に保持されたレンズをネジ等で動かして、位置を調整する調整部とで構成される（たとえば、特許文献１、２等）。
【先行技術文献】
【特許文献】
【０００３】
【特許文献１】特開2017-116729号公報
【特許文献２】特開2011-158632号公報
【発明の概要】
【発明が解決しようとする課題】
【０００４】
しかしながら、従来のレンズ位置調整機構は、保持部及び調整部が必要なため、鏡筒の構成が複雑かつ大型化するという欠点がある。また、部品点数も多く、重量増及びコスト高になるという欠点もある。【０００５】
本発明は、このような事情に鑑みてなされたもので、簡素な構成で光学素子の位置を調整できる鏡筒を提供することを目的とする。
【課題を解決するための手段】
【０００６】
上記課題を解決するための手段は、次のとおりである。【０００７】
（１）光学素子を保持する第１枠と、第１枠を保持する第２枠と、第１枠の外周の複数箇所に備えられる弾性変形可能な複数のピンと、第２枠の複数箇所に備えられ、複数のピンが嵌合される複数の穴と、を備えた鏡筒であって、複数のピンは、少なくとも１つの第１ピンと、少なくとも１つの第２ピンと、で構成され、第１ピンは、第１枠に対して径方向外方に向かって外径が縮小するテーパー形状を有し、穴に嵌合されて、外周面が穴の底面の縁に押圧当接され、第２ピンは、穴に嵌合されて、外周面が穴の内壁面に押圧当接され、穴への第１ピンの嵌合量を調整することにより、第２枠に対する第１枠の位置の調整が可能な鏡筒。【０００８】
本態様によれば、光学素子を保持した第１枠が、弾性変形可能な複数のピンを介して、第２枠に保持される。ピンは、第１枠の外周の複数箇所に備えられる。第２枠には、そのピンが嵌合される穴が複数箇所に備えられる。第１枠は、ピンが第２枠に備えられた穴に嵌合されることにより、第２枠に保持される。【０００９】
第１枠に備えられる複数のピンは、少なくとも１つの第１ピンと、少なくとも１つの第２ピンと、で構成される。第１ピンは、第１枠に対して径方向外方に向かって外径が縮小するテーパー形状を有する。第１ピンは、穴に嵌合されることにより、その外周面が穴の底面の縁に押圧当接される。一方、第２ピンは、穴に嵌合されることにより、その外周面が穴の内壁面に押圧当接される。これにより、第１ピンに対して、押し込む力、すなわち、第２枠に対して第１枠を光軸と直交する方向にシフトさせる力が作用する。この結果、穴への第１ピンの嵌合量を調整することにより、第２枠に対する第１枠の位置を調整できる。【００１０】
（２）第１ピンは、第１枠に対して径方向外方に向かって外径が縮小する円弧状のテーパー形状を有する、上記（１）の鏡筒。【００１１】
本態様によれば、第１ピンが、円弧状のテーパー形状を有する。すなわち、その外周の断面が円弧形状を有する。これにより、第１ピンが穴に対して弾性変形不能に嵌合してしまうのを防止できる（いわゆる、食い付きを防止できる。）。【００１２】
（３）第２ピンは、外周面が外側に向かって円弧状に膨らんだ形状を有する、上記（１）又は（２）の鏡筒。【００１３】
本態様によれば、第２ピンが、外側に向かって外周面が円弧状に膨らんだ形状を有する。これにより、穴の内壁面に点ないし点に近い状態で当接させることができ、第２ピンにかかる負荷を低減できる。【００１４】
（４）第１ピンは、第１ピン軸部と、第１ピン軸部との間に隙間をもって同心状に配置された筒状の第１ピン外周部と、第１ピン軸部に対して第１ピン外周部を支持する第１ピン支持部と、を備える上記（１）から（３）のいずれか一の鏡筒。【００１５】
本態様によれば、第１ピンが、第１ピン軸部と、第１ピン軸部との間に隙間をもって同心状に配置された環状又は筒状の第１ピン外周部と、第１ピン軸部に対して第１ピン外周部を支持する第１ピン支持部と、を備える。これにより、外周部のみを径方向に弾性変形可能に構成できる。【００１６】
（５）第１ピンが、樹脂による一体成形品であり、同軸上に挿通される締結部材によって第１枠に固定される、上記（４）の鏡筒。【００１７】
本態様によれば、第１ピンが、樹脂による一体成形品で構成される。すなわち、所定の金型を用いて樹脂で射出成形され、一体成形品として構成される。また、同軸上に挿通される締結部材によって第１枠に固定される。これにより、容易に製造できる。【００１８】
（６）第２ピンは、第２ピン軸部と、第２ピン軸部との間に隙間をもって同心状に配置された環状又は筒状の第２ピン外周部と、第２ピン軸部に対して第２ピン外周部を支持する第２ピン支持部と、を備える上記（１）から（５）のいずれか一の鏡筒。【００１９】
本態様によれば、第２ピンが、第２ピン軸部と、第２ピン軸部との間に隙間をもって同心状に配置された環状又は筒状の第２ピン外周部と、第２ピン軸部に対して第２ピン外周部を支持する第２ピン支持部と、を備える。これにより、外周部のみを径方向に弾性変形可能に構成できる。【００２０】
（７）第２ピンが、樹脂による一体成形品であり、同軸上に挿通される締結部材によって第１枠に固定される、上記（６）の鏡筒。【００２１】
本態様によれば、第２ピンが、樹脂による一体成形品で構成される。すなわち、所定の金型を用いて樹脂で射出成形され、一体成形品として構成される。また、同軸上に挿通される締結部材によって第１枠に固定される。これにより、容易に製造できる。【００２２】
（８）第１ピンが嵌合される穴の底面は、面取りされた縁を有する、上記（１）から（７）のいずれか一の鏡筒。【００２３】
本態様によれば、第１ピンが嵌合される穴の底面の縁部が、面取りされる。これにより、第１ピンの外周面を安定して穴の底面の縁部に当接させることができる。【００２４】
（９）第２枠の中心に対して、第１枠をシフトさせる側に第２ピンが配置され、反対側に第１ピンが配置される、上記（１）から（８）のいずれか一の鏡筒。【００２５】
本態様によれば、第２枠の中心に対して、第１枠をシフトさせる側に第２ピンが配置され、反対側に第１ピンが配置される。すなわち、第１ピンで押し込む方向と第１枠をシフトさせる方向とが揃えられる。【００２６】
（１０）複数のピンが、第１枠の外周に一定の間隔で備えられる、上記（９）の鏡筒。【００２７】
本態様によれば、複数のピンが、第１枠の外周に一定の間隔で備えられる。この場合、第２枠の中心に対して、第１枠をシフトさせる側に配置されるピンが第２ピンで構成され、残りが第１ピンで構成される。【００２８】
（１１）３本のピンが、第１枠の外周に一定の間隔で備えられる、上記（１０）の鏡筒。【００２９】
本態様によれば、３本のピンが、第１枠の外周に一定の間隔で備えられる。この場合、第２枠の中心に対して、第１枠をシフトさせる側に配置されるピンが第２ピンで構成され、残りが第１ピンで構成される。
【発明の効果】
【００３０】
本発明によれば、簡素な構成で光学素子の位置を調整できる。
【図面の簡単な説明】
【００３１】
【図１】本発明が適用されたレンズ鏡筒の一実施形態を示す側面断面図
【図２】位置調整機構の構成を示す側面断面図
【図３】図２の３−３断面図
【図４】第１ピンの構成を示す斜視図
【図５】第１ピンの構成を示す正面図
【図６】第１ピンの構成を示す平面図
【図７】第１ピンの構成を示す底面図
【図８】図８は、図６の８−８断面図
【図９】図６の９−９断面図
【図１０】第２ピンの構成を示す斜視図
【図１１】第２ピンの構成を示す正面図
【図１２】第２ピンの構成を示す平面図
【図１３】第２ピンの構成を示す底面図
【図１４】図１２の１４−１４断面図
【図１５】図１２の１５−１５断面図
【図１６】ピン嵌合穴の側面断面図
【図１７】ピン嵌合穴の側面断面図
【図１８】ピン嵌合穴の平面図
【図１９】第１ピンをピン嵌合穴に嵌合させた場合に第１ピンが受ける力の状態を示す図
【図２０】第２ピンをピン嵌合穴に嵌合させた場合に第２ピンが受ける力の状態を示す図
【図２１】位置調整機構の他の一例を示す側面断面図
【図２２】図２１の２２−２２断面図
【図２３】第１ピンの他の一例を示す図
【図２４】第２ピンの他の一例を示す図
【発明を実施するための形態】
【００３２】
以下、添付図面に従って本発明を実施するための好ましい形態について詳説する。
【００３３】
［全体構成］
図１は、本発明が適用されたレンズ鏡筒の一実施形態を示す側面断面図である。
【００３４】
同図に示すレンズ鏡筒１は、レンズ交換式のカメラの交換レンズとして構成されるレンズ鏡筒である。
【００３５】
レンズ鏡筒１は、固定筒１０を備える。固定筒１０は、前側固定筒１０Ａ、中央固定筒１０Ｂ及び後側固定筒１０Ｃを含む複数の筒体を連結して構成される。
【００３６】
固定筒１０の内部には光学系が配置される。光学系は、光軸Ｚに沿って物体側（図１の左側）から順にフォーカス光学系２０、ズーム光学系２２、絞り２４、マスター光学系２６を備える。
【００３７】
フォーカス光学系２０は、焦点調節用の光学系であり、固定フォーカスレンズ群２０Ａ及び移動フォーカスレンズ群２０Ｂを備える。固定フォーカスレンズ群２０Ａは固定のレンズ群であり、移動フォーカスレンズ群２０Ｂは移動するレンズ群である。移動フォーカスレンズ群２０Ｂを光軸Ｚに沿って移動させることにより、焦点合わせが行われる。
【００３８】
ズーム光学系２２は、ズーム用の光学系であり、変倍系レンズ群２２Ａ及び補正系レンズ群２２Ｂを備える。変倍系レンズ群２２Ａを光軸Ｚに沿って移動させることによりズームする。補正系レンズ群２２Ｂは、変倍系レンズ群２２Ａに連動して移動し、ズームによる焦点位置の変動を補正する。
【００３９】
絞り２４は、虹彩絞りで構成される。絞り２４は、その絞り羽根を拡縮させて、開口量を変化させ、通過する光の量を調整する。
【００４０】
マスター光学系２６は、最終的に像を結像させるための光学系であり、前側マスターレンズ群２６Ａ及び後側マスターレンズ群２６Ｂを備える。前側マスターレンズ群２６Ａは、一定位置に固定される。一方、後側マスターレンズ群２６Ｂは、バックフォーカス調整等のために、光軸Ｚに沿って移動可能に支持される。
【００４１】
固定筒１０は、移動フォーカスレンズ群２０Ｂを駆動するためのフォーカス駆動機構、ズーム光学系２２を駆動するためのズーム駆動機構、絞り２４を駆動するための絞り駆動機構及び後側マスターレンズ群２６Ｂを駆動するためのマスター駆動機構を備える。各駆動機構の詳細については省略するが、たとえば、フォーカス駆動機構は、固定筒１０の外周に備えられたフォーカスリング３０の回転操作に応じて、移動フォーカスレンズ群２０Ｂを光軸Ｚに沿って移動させる。また、ズーム駆動機構は、固定筒１０の外周に備えられたズームリング３２の回転操作に応じて、ズーム光学系２２を構成する変倍系レンズ群２２Ａ及び補正系レンズ群２２Ｂを光軸Ｚに沿って移動させる。絞り駆動機構は、固定筒１０の外周に備えられた絞りリング３４の回転操作に応じて、絞り羽根を拡縮させる。マスター駆動機構は、固定筒１０の外周に備えられたバックフォーカス調整リング３６の回転操作に応じて、後側マスターレンズ群２６Ｂを光軸Ｚに沿って移動させる。
【００４２】
［位置調整機構］
《位置調整機構の構成》
レンズ鏡筒１は、後側マスターレンズ群２６Ｂの一部のレンズ（第２レンズＧ２）を光軸Ｚと直交する方向にシフトさせて、その位置を調整する機構を備えている。
【００４３】
図２は、位置調整機構の構成を示す側面断面図である。また、図３は、図２の３−３断面図である。
【００４４】
図２に示すように、後側マスターレンズ群２６Ｂは、３枚のレンズＧ１、Ｇ２、Ｇ３で構成される。３枚のレンズＧ１、Ｇ２、Ｇ３は、物体側から順に第１レンズＧ１、第２レンズＧ２及び第３レンズＧ３で構成される。第１レンズＧ１、第２レンズＧ２及び第３レンズＧ３は、後側マスターレンズ群保持枠５０に保持される。
【００４５】
後側マスターレンズ群保持枠５０は、移動筒４０に保持される。移動筒４０は、その基端側（像側）の内周に雌ネジ部４０Ａを有する。一方、後側マスターレンズ群保持枠５０は、その先端の外周に雄ネジ部５０Ａを有する。後側マスターレンズ群保持枠５０は、外周の雄ネジ部５０Ａを移動筒４０の内周の雌ネジ部４０Ａに螺合させることにより、移動筒４０部に保持される。
【００４６】
移動筒４０は、後側固定筒１０Ｃの内周部を光軸Ｚに沿って移動可能に支持される。マスター駆動機構は、バックフォーカス調整リング３６の回転操作に応じて、移動筒４０を光軸Ｚに沿って移動させる。これにより、後側マスターレンズ群２６Ｂが、光軸Ｚに沿って移動する。
【００４７】
第１レンズＧ１及び第３レンズＧ３は、固定のレンズとして、後側マスターレンズ群保持枠５０の内周部に固定される。
【００４８】
一方、第２レンズＧ２は、可動のレンズとして、後側マスターレンズ群保持枠５０の内周部を移動可能に保持される。すなわち、第２レンズＧ２が、調整対象のレンズであり、光軸Ｚと直交する面内の位置調整可能に保持される。
【００４９】
第２レンズＧ２は、光学素子の一例である。位置調整機構６０は、後側マスターレンズ群保持枠５０に対して、第２レンズＧ２を光軸Ｚと直交する方向にシフトさせて、その位置を調整する。
【００５０】
位置調整機構６０は、第２レンズＧ２を保持するレンズ枠７０と、レンズ枠７０の外周に備えられる第１ピン８０及び第２ピン９０と、第１ピン８０及び第２ピン９０に対応して後側マスターレンズ群保持枠５０に備えられる複数のピン嵌合穴１００Ａ、１００Ｂ、１００Ｃと、を備える。
【００５１】
〈レンズ枠〉
レンズ枠７０は、第２レンズＧ２を保持する。レンズ枠７０は、第１枠の一例である。第２レンズＧ２は、レンズ枠７０の内周部に固定される。
【００５２】
レンズ枠７０は、その外周の三箇所にピン取付部７２Ａ、７２Ｂ、７２Ｃを有する。三つのピン取付部７２Ａ、７２Ｂ、７２Ｃは、同一円周上に配置され、かつ、等間隔に配置される（１２０°間隔で配置される。）。
【００５３】
各ピン取付部７２Ａ、７２Ｂ、７２Ｃは、円形状の突起部として、レンズ枠７０の外周面上に突出して設けられる。
【００５４】
各ピン取付部７２Ａ、７２Ｂ、７２Ｃは、先端面にピン嵌合部７４、ボス７６及びネジ穴７８を有する（図１６及び図１７参照）。ピン嵌合部７４は、円形状の凹部として、ピン取付部７２Ａ、７２Ｂ、７２Ｃの先端面の中央に備えられる。ピン嵌合部７４は、ピン（第１ピン８０及び第２ピン９０）の軸部（第１ピン軸部８０ａ及び第２ピン軸部９０ａ）の外径に対応した内径を有する。ボス７６は、円柱状の凸部として、ピン嵌合部７４の底面部に備えられる。ネジ穴７８は、ネジ１１０が螺合される穴として、ピン嵌合部７４の中央に備えられる。
【００５５】
〈第１ピン〉
図４は、第１ピンの構成を示す斜視図である。図５は、第１ピンの構成を示す正面図である。図６は、第１ピンの構成を示す平面図である。図７は、第１ピンの構成を示す底面図である。図８は、図６の８−８断面図である。図９は、図６の９−９断面図である。
【００５６】
第１ピン８０は、先端（レンズ枠７０に取り付けた際にレンズ枠７０の径方向外方の端）に向かって外径が縮小するテーパー形状を有する。特に、本実施の形態の第１ピン８０は、外周の断面が円弧形状を有し、円弧状のテーパー形状を有する。
【００５７】
第１ピン８０は、第１ピン軸部８０ａと、その第１ピン軸部８０ａとの間に隙間をもって同心状に配置された環状の第１ピン外周部８０ｂと、第１ピン軸部８０ａに対して第１ピン外周部８０ｂを支持する第１ピン支持部８０ｃと、を備える。
【００５８】
第１ピン軸部８０ａは、中空の円柱形状を有し、軸に沿って中空部８０ｆを有する。中空部８０ｆは、第１ピン８０をピン取付部７２Ａ、７２Ｂ、７２Ｃにネジ１１０で取り付ける際に、ネジ１１０の挿通部として機能する。
【００５９】
第１ピン軸部８０ａは、その先端側の端面に円形の凹部８０ｄを有する。この凹部８０ｄは、第１ピン８０をピン取付部７２Ａ、７２Ｂ、７２Ｃにネジ１１０で取り付ける際に、そのネジ１１０の座部として機能する。また、第１ピン軸部８０ａは、その基端部側の端面（底面）に位置決め穴８０ｅを有する（図１６参照）。位置決め穴８０ｅは、第１ピン８０をピン取付部７２Ａ、７２Ｂ、７２Ｃに対して位置決めする穴であり、ピン取付部７２Ａ、７２Ｂ、７２Ｃに備えられたボス７６が嵌入される（図１６参照）。
【００６０】
位置決め穴８０ｅは、第１ピン８０をレンズ枠７０のピン取付部７２Ａ、７２Ｂ、７２Ｃに取り付ける際に、ピン取付部７２Ａ、７２Ｂ、７２Ｃに備えられたボス７６が嵌入されて、第１ピン８０をピン取付部７２Ａ、７２Ｂ、７２Ｃに対して位置決めする機能を有する（図１６参照）。
【００６１】
第１ピン外周部８０ｂは、第１ピン８０の本体を構成する。したがって、その外形は、先端に向かって外径が縮小する円弧状のテーパー形状を有する。第１ピン外周部８０ｂは、第１ピン軸部８０ａの同心状に配置される。
【００６２】
第１ピン支持部８０ｃは、第１ピン外周部８０ｂの内周部において、第１ピン外周部８０ｂを２箇所で支持する。
【００６３】
第１ピン８０は、所定の金型を用いて樹脂で射出成形され、一体成形品として構成される。たとえば、ＰＯＭ（ＰＯＭ：Polyoxymethylene又はPolyacetal／ポリオキシメチレン又はポリアセタール）によって射出成形され、一体成形品として構成される。第１ピン外周部８０ｂは、樹脂による弾性を利用して、弾性変形可能に構成される。第１ピン８０は、第１ピン軸部８０ａの中空部８０ｆに締結部材としてのネジ１１０が挿通されて、ピン取付部７２Ａ、７２Ｂ、７２Ｃにネジ止めされる。ネジ１１０は、第１ピン８０の同軸上に挿通される。
【００６４】
〈第２ピン〉
図１０は、第２ピンの構成を示す斜視図である。図１１は、第２ピンの構成を示す正面図である。図１２は、第２ピンの構成を示す平面図である。図１３は、第２ピンの構成を示す底面図である。図１４は、図１２の１４−１４断面図である。図１５は、図１２の１５−１５断面図である。
【００６５】
第２ピン９０は、外周面が外側に向かって円弧状に膨らんだ形状（いわゆる樽形状）を有する。第２ピン９０は、第２ピン軸部９０ａと、その第２ピン軸部９０ａとの間に隙間をもって同心状に配置された環状の第２ピン外周部９０ｂと、第２ピン軸部９０ａに対して第２ピン外周部９０ｂを支持する第２ピン支持部９０ｃと、を備える。
【００６６】
第２ピン軸部９０ａは、中空の円柱形状を有し、軸に沿って中空部９０ｆを有する。中空部９０ｆは、第２ピン９０をピン取付部７２Ａ、７２Ｂ、７２Ｃにネジ１１０で取り付ける際に、ネジ１１０の挿通部として機能する。
【００６７】
第２ピン軸部９０ａは、その先端側の端面（上面）に円形の凹部９０ｄを有する。この凹部９０ｄは、第２ピン９０をピン取付部７２Ａ、７２Ｂ、７２Ｃにネジ１１０で取り付ける際に、そのネジ１１０の座部として機能する（図１７参照）。また、第２ピン軸部９０ａは、その基端部側の端面（底面）に位置決め穴９０ｅを有する。位置決め穴９０ｅは、第２ピン９０をピン取付部７２Ａ、７２Ｂ、７２Ｃに対して位置決めする穴であり、ピン取付部７２Ａ、７２Ｂ、７２Ｃに備えられたボス７６が嵌入される（図１７参照）。
【００６８】
第２ピン外周部９０ｂは、第２ピン９０の本体を構成する。したがって、その外形は、外周面が外側に向かって円弧状に膨らんだ形状（いわゆる樽形状）を有する。第２ピン外周部９０ｂは、第２ピン軸部９０ａの同心状に配置される。
【００６９】
第２ピン支持部９０ｃは、第２ピン外周部９０ｂの内周部において、第２ピン外周部９０ｂを２箇所で支持する。
【００７０】
第２ピン９０は、所定の金型を用いて樹脂で射出成形され、一体成形品として構成される。たとえば、ＰＯＭによって射出成形され、一体成形品として構成される。第２ピン外周部９０ｂは、樹脂による弾性を利用して、弾性変形可能に構成される。第２ピン９０は、第２ピン軸部９０ａの中空部９０ｆに締結部材としてのネジ１１０が挿通されて、ピン取付部７２Ａ、７２Ｂ、７２Ｃにネジ止めされる。ネジ１１０は、第２ピン９０の同軸上に挿通される。
【００７１】
〈ピン嵌合穴〉
図３に示すように、ピン嵌合穴１００Ａ、１００Ｂ、１００Ｃは、三つのピン取付部７２Ａ、７２Ｂ、７２Ｃに対応して、後側マスターレンズ群保持枠５０の周面の三箇所に備えられる。三つのピン嵌合穴１００Ａ、１００Ｂ、１００Ｃは、同一円周上に配置され、かつ、等間隔に配置される。後側マスターレンズ群保持枠５０は、第２枠の一例である。後側マスターレンズ群保持枠５０は、たとえば、アルミ等の金属で構成される。
【００７２】
図１６及び図１７は、ピン嵌合穴の側面断面図である。なお、図１６は、ピン嵌合穴１００Ａに第１ピン８０を嵌合させた場合の断面を示しており、図１７は、ピン嵌合穴１００Ａに第２ピン９０を嵌合させた場合の断面を示している。図１８は、ピン嵌合穴の平面図である。なお、図１８は、ピン嵌合穴１００Ａに第１ピン８０を嵌合させた場合の平面図を示している。
【００７３】
図１８に示すように、ピン嵌合穴１００Ａは、光軸Ｚと直交する方向に延びる長穴で構成される。すなわち、光軸Ｚと直交する方向の長さＬが、光軸Ｚに沿う方向の幅Ｗよりも長い穴で構成される。
【００７４】
ピン嵌合穴１００Ａは、光軸Ｚに沿う方向の幅Ｗが、第１ピン８０及び第２ピン９０の外径よりも若干狭い幅を有する。このため、図１６に示すように、第１ピン８０をピン嵌合穴１００Ａに嵌合させると、第１ピン８０は、径方向に弾性変形してピン嵌合穴１００Ａに嵌合する（潰れ変形して嵌合する）。また、図１７に示すように、第２ピン９０をピン嵌合穴１００Ａに嵌合させると、第２ピン９０は、径方向に弾性変形してピン嵌合穴１００Ａに嵌合する（潰れ変形して嵌合する）。
【００７５】
ピン嵌合穴１００Ａは、図１６及び図１７に示すように、底面の縁（レンズ枠７０の径方向の内側の縁）１０２が面取りされる（いわゆるＣ面取り）。
【００７６】
残り二つのピン嵌合穴１００Ｂ、１００Ｃもピン嵌合穴１００Ａと同じ構造を有する。
【００７７】
《位置調整機構の作用》
レンズ枠７０に備えられた三つのピン取付部７２Ａ、７２Ｂ、７２Ｃには、第１ピン８０又は第２ピン９０が取り付けられる。第１ピン８０及び第２ピン９０は、組み合わせて取り付けられる。すなわち、少なくとも一本は第１ピン８０及び第２ピン９０を含むように取り付けられる。
【００７８】
第１ピン８０及び第２ピン９０を組み合わせて取り付けることにより、レンズ枠７０を後側マスターレンズ群保持枠５０に対して特定の方向にシフトさせて保持できる。この点について、説明する。
【００７９】
図１９は、第１ピンをピン嵌合穴に嵌合させた場合に第１ピンが受ける力の状態を示す図である。なお、同図は、第１ピン８０を第１のピン嵌合穴１００Ａに嵌合させた場合を示している。第１ピン８０を他のピン嵌合穴１００Ｂ、１００Ｃに嵌合させた場合も同様の力を受ける。
【００８０】
同図に示すように、第１ピン８０がピン嵌合穴１００Ａに嵌合すると、第１ピン８０は、その外周部がピン嵌合穴１００Ａの底面の縁１０２に押圧当接する。これにより、第１ピン８０は、縁１０２から径方向の内側に向かって力Ｆ１を受ける。この力Ｆ１は、第１ピン８０の外形がテーパー形状であることから、第１ピン８０に対して、径方向の力Ｆ１ａ及び軸方向の力Ｆ１ｂとして作用する。径方向の力Ｆ１ａは、第１ピン８０の外周部を押し潰す力Ｆ１ａとして作用する。一方、軸方向の力Ｆ１ｂは、第１ピン８０をレンズ枠７０の径方向内方に向けて押し込む力Ｆ１ｂとして作用する。第１ピン８０は、弾性変形可能であるため、軸方向の力Ｆ１ｂを受けることにより、後側マスターレンズ群保持枠５０に対してレンズ枠７０を径方向の内方に向けて付勢する。
【００８１】
図２０は、第２ピンをピン嵌合穴に嵌合させた場合に第２ピンが受ける力の状態を示す図である。なお、同図は、第２ピン９０を第１のピン嵌合穴１００Ａに嵌合させた場合を示している。第２ピン９０を他のピン嵌合穴１００Ｂ、１００Ｃに嵌合させた場合も同様の力を受ける。
【００８２】
同図に示すように、第２ピン９０がピン嵌合穴１００Ａに嵌合すると、第２ピン９０は、その外周部がピン嵌合穴１００Ａの内壁面に押圧当接する。この際、第２ピン９０が受ける力Ｆ２は、ほぼ径方向の力のみとなる。すなわち、その外周部を押し潰す力だけとなる。
【００８３】
上記のように、第１ピン８０は、ピン嵌合穴１００Ａ、１００Ｂ、１００Ｃに嵌合されることにより、レンズ枠７０を径方向の内方に向けて付勢する機能を有する。したがって、第１ピン８０及び第２ピン９０を組み合わせて取り付けることにより、レンズ枠７０を特定の方向に付勢して保持できる。すなわち、第１ピン８０でレンズ枠７０を特定の方向に押込み、残りの第２ピン９０が弾性変形して、押し込む力を受けることにより、レンズ枠７０をシフトさせた状態で安定して保持できる。
【００８４】
第１ピン８０及び第２ピン９０の配置は、第２レンズＧ２をシフトさせる方向に応じて決められる。具体的には、後側マスターレンズ群保持枠５０の中心に対してレンズ枠７０をシフトさせる側に第２ピン９０を配置し、その反対側に第１ピン８０を配置する。すなわち、シフトさせる方向と第１ピン８０で押し込む方向とが揃うように、第１ピン８０及び第２ピン９０を配置する。
【００８５】
以下、第１ピン８０及び第２ピンのレイアウトの具体例について説明する。
【００８６】
いま、三つのピン取付部７２Ａ、７２Ｂ、７２Ｃをそれぞれ第１のピン取付部７２Ａ、第２のピン取付部７２Ｂ、第３のピン取付部７２Ｃとする。また、第１のピン取付部７２Ａに取り付けられたピンが嵌合するピン嵌合穴１００Ａを第１のピン嵌合穴１００Ａとする。第２のピン取付部７２Ｂに取り付けられたピンが嵌合するピン嵌合穴１００Ｂを第２のピン嵌合穴１００Ｂとする。第３のピン取付部７２Ｃに取り付けられたピンが嵌合するピン嵌合穴１００Ｃを第３のピン嵌合穴１００Ｃとする。
【００８７】
また、図３に示すように、光軸Ｚと直交する面内において、光軸の位置を原点Ｏとし、原点Ｏと第１のピン嵌合穴１００Ａの中心を通る直線をｙ軸とする。また、原点Ｏを通り、ｙ軸と直交する直線をｘ軸とする。
【００８８】
ｙ軸については、第１のピン嵌合穴１００Ａが位置する方向を＋（プラス）の方向とする。また、ｘ軸については、第２のピン嵌合穴１００Ｂが位置する方向を＋（プラス）の方向とする。
【００８９】
第１ピン８０及び第２ピン９０は、後側マスターレンズ群保持枠５０の中心（原点Ｏ）に対して、レンズ枠７０をシフトさせる側に第２ピン９０を配置し、反対側に第１ピン８０を配置する。
【００９０】
たとえば、ｙ軸の−方向にシフトさせる場合は、ｙ軸の−側に位置するピン取付部に第２ピン９０を取り付け、＋側に位置するピン取付部に第１ピン８０を取り付ける。一方、ｙ軸の＋方向にシフトさせる場合は、ｙ軸の＋側に位置するピン取付部に第２ピン９０を取り付け、−側に位置するピン取付部に第１ピン８０を取り付ける。また、ｘ軸の−方向にシフトさせる場合は、ｘ軸の−側に位置するピン取付部に第２ピン９０を取り付け、−側に位置するピン取付部に第１ピン８０を取り付ける。一方、ｘ軸の＋方向にシフトさせる場合は、ｘ軸の＋側に位置するピン取付部に第２ピン９０を取り付け、−側に位置するピン取付部に第１ピン８０を取り付ける。以下に具体例を示す。
【００９１】
〈ｙ軸の−方向にシフトさせる場合〉
ｙ軸の−方向にシフトさせる場合、図３に示すように、第１のピン取付部７２Ａに第１ピン８０を取り付け、第２のピン取付部７２Ｂ及び第３のピン取付部７２Ｃに第２ピン９０を取り付ける。
【００９２】
第１ピン８０及び第２ピン９０の取り付けは、まず、第１ピン軸部８０ａ及び第２ピン軸部９０ａをピン嵌合部７４に嵌め、かつ、ピンの位置決め穴８０ｅ、９０ｅにボス７６を嵌める（図１６及び図１７参照）。これにより、第１ピン８０及び第２ピン９０がピン取付部７２Ａ、７２Ｂ、７２Ｃに位置決めされる。次に、第１ピン軸部８０ａ及び第２ピン軸部９０ａの中空部８０ｆ、９０ｆにネジ１１０を通し、ピン取付部７２Ａ、７２Ｂ、７２Ｃのネジ穴７８に螺合させる。これにより、第１ピン８０及び第２ピン９０が、ピン取付部７２Ａ、７２Ｂ、７２Ｃに取り付けられる。ピン取付部７２Ａ、７２Ｂ、７２Ｃに取り付けられた第１ピン８０及び第２ピン９０は、その第１ピン支持部８０ｃ及び第２ピン支持部９０ｃが、ピン嵌合穴１００Ａ、１００Ｂ、１００Ｃの長手方向（後側マスターレンズ群保持枠５０の周方向）に沿って配置される。
【００９３】
第１のピン取付部７２Ａに第１ピン８０を取り付け、第２のピン取付部７２Ｂ及び第３のピン取付部７２Ｃに第２ピン９０を取り付けることにより、レンズ枠７０をｙ軸の−方向に付勢して保持できる。
【００９４】
位置の調整は、第１のピン嵌合穴１００Ａに対する第１ピン８０の嵌合量を調整することにより行われる。たとえば、ｙ軸に沿って−方向にシフトさせる場合、第１ピン８０の嵌合量が少なくなるほど、−方向へのシフト量が大きくなる。螺合量の調整は、たとえば、第１ピン８０を固定するネジ１１０の締め付け量又は軸方向への押込み量を調整することにより行われる。
【００９５】
なお、ピン嵌合穴１００Ａ、１００Ｂ、１００Ｃは、長穴で構成されているので、穴内での第１ピン８０の位置を調整することにより、ｘ軸方向の位置も調整できる。
【００９６】
〈ｙ軸の＋方向にシフトさせる場合〉
ｙ軸の＋方向にシフトさせる場合、第２のピン取付部７２Ｂ及び第３のピン取付部７２Ｃに第１ピン８０を取り付け、第１のピン取付部７２Ａに第２ピン９０を取り付ける。これにより、ｙ軸に関して、レンズ枠７０を＋方向に付勢して保持でき、シフト調整後も安定してレンズ枠７０を後側マスターレンズ群保持枠５０内に保持できる。
【００９７】
〈ｘ軸の−方向にシフトさせる場合〉
ｘ軸の−方向にシフトさせる場合、第２のピン取付部７２Ｂに第１ピン８０を取り付け、第１のピン取付部７２Ａ及び第３のピン取付部７２Ｃに第２ピン９０を取り付ける。これにより、ｘ軸に関して、レンズ枠７０を−方向に付勢して保持でき、シフト調整後も安定してレンズ枠７０を後側マスターレンズ群保持枠５０内に保持できる。
【００９８】
〈ｘ軸の＋方向にシフトさせる場合〉
ｘ軸の−方向にシフトさせる場合、第１のピン取付部７２Ａ及び第３のピン取付部７２Ｃに第１ピン８０を取り付け、第２のピン取付部７２Ｂに第２ピン９０を取り付ける。これにより、ｘ軸に関して、レンズ枠７０を＋方向に付勢して保持でき、シフト調整後も安定してレンズ枠７０を後側マスターレンズ群保持枠５０内に保持できる。
【００９９】
図３は、ｙ軸の−方向にシフトさせる場合のピンの配置を示している。この場合、第１のピン取付部７２Ａに第１ピン８０が取り付けられ、第２のピン取付部７２Ｂ及び第３のピン取付部７２Ｃに第２ピン９０が取り付けられる。そして、第１ピン８０の嵌合量が調整されて、ｙ軸方向の位置が調整される。
【０１００】
以上説明したように、本実施の形態のレンズ鏡筒１によれば、ピンだけの構成でレンズの位置を調整できる。これにより、レンズ鏡筒１の構成を簡素化できる。また、これにより、部品点数を削減でき、軽量化及び低コスト化を実現できる。
【０１０１】
また、通常、位置調整可能なレンズは、調整後に接着剤等で固定されるが、本実施の形態のレンズ鏡筒１では、調整後もレンズ枠７０を安定して保持できる。したがって、接着剤等による固定の工程を省略できる。これにより、組み立て工数を削減できる。また、メンテナンス性も向上できる。更に、接着等によるゴミ等の発生も防止できる。
【０１０２】
［変形例］
《第１ピン及び第２ピンのレイアウトの変形例》
上記実施の形態では、三本のピン（第１ピン及び第２ピン）でレンズ枠７０を保持する構成としているが、レンズ枠７０に備えるピンの数は、これに限定されるものではない。少なくとも二本のピンを備えていればよい。なお、安定してレンズ枠７０を保持するためには、三本以上のピンを備えることが好ましい。すなわち、複数箇所として、レンズ枠７０の三箇所以上にピンを備えることが好ましい。
【０１０３】
図２１は、位置調整機構の他の一例を示す側面断面図である。また、図２２は、図２１の２２−２２断面図である。
【０１０４】
本例の位置調整機構６０では、レンズ枠７０の周面の四箇所にピン取付部７２Ａ、７２Ｂ、７２Ｃ、７２Ｄが備えられる。四つのピン取付部７２Ａ、７２Ｂ、７２Ｃ、７２Ｄは、同一円周上に配置され、かつ、等間隔に配置される（９０°間隔で配置される。）。各ピン取付部７２Ａ、７２Ｂ、７２Ｃ、７２Ｄの構成は、上記実施の形態のピン取付部７２Ａ、７２Ｂ、７２Ｃの構成と同じである。
【０１０５】
後側マスターレンズ群保持枠５０には、四つのピン取付部７２Ａ、７２Ｂ、７２Ｃ、７２Ｄに対応して、周面の四箇所にピン嵌合穴１００Ａ、１００Ｂ、１００Ｃ、１００Ｄを有する。四つのピン嵌合穴１００Ａ、１００Ｂ、１００Ｃ、１００Ｄは、同一円周上に配置され、かつ、等間隔に配置される。各ピン嵌合穴１００Ａ、１００Ｂ、１００Ｃ、１００Ｄの構成は、上記実施の形態のピン嵌合穴１００Ａ、１００Ｂ、１００Ｃの構成と同じである。
【０１０６】
各ピン取付部７２Ａ、７２Ｂ、７２Ｃ、７２Ｄに取り付けるピンの種類（第１ピン８０又は第２ピン９０）は、第２レンズＧ２をシフトさせる方向に応じて決められる。
【０１０７】
いま、四つのピン取付部７２Ａ、７２Ｂ、７２Ｃ、７２Ｄをそれぞれ第１のピン取付部７２Ａ、第２のピン取付部７２Ｂ、第３のピン取付部７２Ｃ、第４のピン取付部７２Ｄとする。また、第１のピン取付部７２Ａに取り付けられたピンが嵌合するピン嵌合穴１００Ａを第１のピン嵌合穴１００Ａとする。第２のピン取付部７２Ｂに取り付けられたピンが嵌合するピン嵌合穴１００Ｂを第２のピン嵌合穴１００Ｂとする。第３のピン取付部７２Ｃに取り付けられたピンが嵌合するピン嵌合穴１００Ｃを第３のピン嵌合穴１００Ｃとする。第４のピン取付部７２Ｄに取り付けられたピンが嵌合するピン嵌合穴１００Ｄを第４のピン嵌合穴１００Ｄとする。
【０１０８】
また、図２２に示すように、光軸Ｚと直交する面内において、光軸の位置を原点Ｏとし、原点Ｏと第１のピン嵌合穴１００Ａの中心を通る直線をｙ軸とする。また、原点Ｏを通り、ｙ軸と直交する直線をｘ軸とする。
【０１０９】
ｙ軸については、第１のピン嵌合穴１００Ａが位置する方向を＋（プラス）の方向、第３のピン嵌合穴１００Ｃが位置する方向を−（マイナス）の方向とする。また、ｘ軸については、第２のピン嵌合穴１００Ｂが位置する方向を＋（プラス）の方向、第４のピン嵌合穴１００Ｄが位置する方向を−（マイナス）の方向とする。
【０１１０】
第１ピン８０及び第２ピン９０は、後側マスターレンズ群保持枠５０の中心（原点Ｏ）に対して、レンズ枠７０をシフトさせる方向に第２ピン９０を配置する。そして、その反対方向に第１ピン８０を配置する。具体的には、次のように配置する。
【０１１１】
〈ｙ軸の−方向にシフトさせる場合〉
ｙ軸の−方向にシフトさせる場合、図２２に示すように、第１のピン取付部７２Ａに第１ピン８０を取り付け、第３のピン取付部７２Ｃに第２ピン９０を取り付ける。
【０１１２】
〈ｙ軸の＋方向にシフトさせる場合〉
ｙ軸の＋方向にシフトさせる場合、第３のピン取付部７２Ｃに第１ピン８０を取り付け、第１のピン取付部７２Ａに第２ピン９０を取り付ける。
【０１１３】
〈ｘ軸の−方向にシフトさせる場合〉
ｘ軸の−方向にシフトさせる場合、図２２に示すように、第２のピン取付部７２Ｂに第１ピン８０を取り付け、第４のピン取付部７２Ｄに第２ピン９０を取り付ける。
【０１１４】
〈ｘ軸の＋方向にシフトさせる場合〉
ｘ軸の＋方向にシフトさせる場合、第４のピン取付部７２Ｄに第１ピン８０を取り付け、第２のピン取付部７２Ｂに第２ピン９０を取り付ける。
【０１１５】
図２２は、ｙ軸の−方向及びｘ軸の−方向にシフトさせる場合のピンの配置を示している。この場合、第１のピン取付部７２Ａ及び第２のピン取付部７２Ｂに第１ピン８０が取り付けられ、第３のピン取付部７２Ｃ及び第４のピン取付部７２Ｄに第２ピン９０が取り付けられる。そして、第１ピン８０の嵌合量が調整されて、ｙ軸方向及びｘ軸方向の位置が調整される。
【０１１６】
このように、ピンは、後側マスターレンズ群保持枠５０の中心（原点Ｏ）を挟んで異なる種類のピンが配置されるようにレイアウトされる。
【０１１７】
《第１ピンの変形例》
図２３は、第１ピンの他の一例を示す図である。
【０１１８】
同図に示す第１ピン８０は、外周部の形状を円錐台形状としたものである。すなわち、外周部の径が、先端に向かって直線状に縮小する形状としたものである。このように、第１ピン８０は、先端に向かって外径が縮小するテーパー形状を有していればよい。
【０１１９】
なお、上記実施の形態のように、円弧状のテーパー形状とすることにより、第１ピン８０が、ピン嵌合穴に対して弾性変形不能に嵌合してしまうのを防止できる。すなわち、ピンの食い付きを防止できる。
【０１２０】
また、第１ピン８０の外周部の形状、すなわち、第１ピン外周部８０ｂの形状は、嵌合させるピン嵌合穴の深さに応じて軸方向に伸びた形状、すなわち、筒状の形状としてもよい。
【０１２１】
また、上記実施の形態では、ピン取付部７２Ａ、７２Ｂ、７２Ｃの先端面に備えられたピン嵌合部７４に第１ピン軸部８０ａを嵌めて、第１ピン８０をピン取付部７２Ａ、７２Ｂ、７２Ｃに取り付ける構造としているが、第１ピン８０をピン取付部７２Ａ、７２Ｂ、７２Ｃに取り付ける構造は、これに限定されるものではない。この他、たとえば、ピン取付部７２Ａ、７２Ｂ、７２Ｃの先端面に凸部を設け、かつ、第１ピン軸部８０ａの底面に凹部を設け、ピン取付部７２Ａ、７２Ｂ、７２Ｃの凸部を第１ピン軸部８０ａの凹部に嵌合させて、第１ピン８０をピン取付部７２Ａ、７２Ｂ、７２Ｃに取り付ける構造としてもよい。
【０１２２】
《第２ピンの変形例》
第２ピン９０は、その外周面がピン嵌合穴の内壁面に押圧当接した状態でピン嵌合穴に嵌合できる形状であればよい。すなわち、第２ピン９０については、一般的な形状のピンを採用できる。
【０１２３】
図２４は、第２ピンの他の一例を示す図である。
【０１２４】
同図に示す第２ピン９０は、外径が一定のピンである。本構成の第２ピン９０は、ピン嵌合穴に嵌合されることにより、その外周面がピン嵌合穴の内壁面に線接触する。
【０１２５】
また、第２ピン９０の外周部の形状、すなわち、第２ピン外周部９０ｂの形状は、嵌合させるピン嵌合穴の深さに応じて軸方向に伸びた形状、すなわち、筒状の形状としてもよい。
【０１２６】
また、上記実施の形態では、ピン取付部７２Ａ、７２Ｂ、７２Ｃの先端面に備えられたピン嵌合部７４に第２ピン軸部９０ａを嵌めて、第２ピン９０をピン取付部７２Ａ、７２Ｂ、７２Ｃに取り付ける構造としているが、第２ピン９０をピン取付部７２Ａ、７２Ｂ、７２Ｃに取り付ける構造は、これに限定されるものではない。この他、たとえば、ピン取付部７２Ａ、７２Ｂ、７２Ｃの先端面に凸部を設け、かつ、第２ピン軸部９０ａの底面に凹部を設け、ピン取付部７２Ａ、７２Ｂ、７２Ｃの凸部を第２ピン軸部９０ａの凹部に嵌合させて、第２ピン９０をピン取付部７２Ａ、７２Ｂ、７２Ｃに取り付ける構造としてもよい。
【０１２７】
《ピン嵌合穴の変形例》
上記実施の形態では、ピン嵌合穴を長穴で構成しているが、円形の穴で構成してもよい。
【０１２８】
また、ピン嵌合穴の底面の縁は、必ずしも面取りする必要はない（図２３参照）。面取りした場合には、第１ピン８０を安定してピン嵌合穴に嵌合させることができる。
【０１２９】
《その他の鏡筒への適用》
上記実施の形態では、本発明をレンズ交換式カメラの交換レンズのレンズ鏡筒に適用した場合を例に説明したが、本発明の適用は、これに限定されるものではない。いわゆるレンズ一体式のカメラに組み込まれたレンズ装置のレンズ鏡筒にも同様に適用できる。また、プロジェクタ、顕微鏡、望遠鏡、双眼鏡等のカメラ以外の光学機器の鏡筒にも適用できる。
【０１３０】
また、上記実施の形態では、レンズの位置を調整する場合を例に説明したが、調整する対象（光学素子）は、これに限定されず、その他の光学素子、たとえば、プリズム、ミラー等の位置を調整する場合にも同様に適用できる。
【０１３１】
また、レンズ鏡筒に本発明を適用した場合、光学性能への影響の大きいレンズを調整対象のレンズとすることが好ましい。
【符号の説明】
【０１３２】
１  レンズ鏡筒
１０  固定筒
１０Ａ  前側固定筒
１０Ｂ  中央固定筒
１０Ｃ  後側固定筒
２０  フォーカス光学系
２０Ａ  固定フォーカスレンズ群
２０Ｂ  移動フォーカスレンズ群
２２  ズーム光学系
２２Ａ  変倍系レンズ群
２２Ｂ  補正系レンズ群
２４  絞り
２６  マスター光学系
２６Ａ  前側マスターレンズ群
２６Ｂ  後側マスターレンズ群
３０  フォーカスリング
３２  ズームリング
３４  絞りリング
３６  バックフォーカス調整リング
４０  移動筒
４０Ａ  雌ネジ部
５０  後側マスターレンズ群保持枠
５０Ａ  雄ネジ部
６０  位置調整機構
７０  レンズ枠
７２Ａ  ピン取付部（第１のピン取付部）
７２Ｂ  ピン取付部（第２のピン取付部）
７２Ｃ  ピン取付部（第３のピン取付部）
７２Ｄ  ピン取付部（第４のピン取付部）
７４  ピン嵌合部
７６  ボス
７８  ネジ穴
８０  第１ピン
８０ａ  第１ピン軸部
８０ｂ  第１ピン外周部
８０ｃ  第１ピン支持部
８０ｄ  凹部
８０ｅ  位置決め穴
８０ｆ  中空部
９０  第２ピン
９０ａ  第２ピン軸部
９０ｂ  第２ピン外周部
９０ｃ  第２ピン支持部
９０ｄ  凹部
９０ｅ  位置決め穴
９０ｆ  中空部
１００Ａ  ピン嵌合穴（第１のピン嵌合穴）
１００Ｂ  ピン嵌合穴（第２のピン嵌合穴）
１００Ｃ  ピン嵌合穴（第３のピン嵌合穴）
１００Ｄ  ピン嵌合穴（第４のピン嵌合穴）
１０２  縁
１１０  ネジ
Ｆ１  第１ピンが受ける力
Ｆ１ａ  第１ピンが受ける径方向の力
Ｆ１ｂ  第１ピンが受ける軸方向の力
Ｆ２  第２ピンが受ける力
Ｇ１  レンズ（第１レンズ）
Ｇ２  レンズ（第２レンズ）
Ｇ３  レンズ（第３レンズ）
Ｏ  原点
Ｚ  光軸
【図１】
0006975315.tif 000002
【図２】
0006975315.tif 000003
【図３】
0006975315.tif 000004
【図４】
0006975315.tif 000005
【図５】
0006975315.tif 000006
【図６】
0006975315.tif 000007
【図７】
0006975315.tif 000008
【図８】
0006975315.tif 000009
【図９】
0006975315.tif 000010
【図１０】
0006975315.tif 000011
【図１１】
0006975315.tif 000012
【図１２】
0006975315.tif 000013
【図１３】
0006975315.tif 000014
【図１４】
0006975315.tif 000015
【図１５】
0006975315.tif 000016
【図１６】
0006975315.tif 000017
【図１７】
0006975315.tif 000018
【図１８】
0006975315.tif 000019
【図１９】
0006975315.tif 000020
【図２０】
0006975315.tif 000021
【図２１】
0006975315.tif 000022
【図２２】
0006975315.tif 000023
【図２３】
0006975315.tif 000024
【図２４】
0006975315.tif 000025